(57)【要約】      （修正有）【課題】ファイル済みの書類の移動を簡単且つ迅速に行い得るファイル構造とすることにより、書類の損傷も最少にする事が出来る書類ファイル用品を提供する。【解決手段】既にファイルされている書類の中の一枚或いは複数の書類を取り出したり、移動させるのに、先ず目的の書類を見付け、抑え板４から書類を綴っているチューブ３を外した後、挿入棒をチューブ３から抜き取り、目的の書類をファイルから取り出す。その作業中ファイルに残っている書類はチューブで綴られた儘か、或いは挿入棒６で保持されているかの何れかで、書類がばらばらになる事は無く、上記作業中は此れまでの様に、目的の書類以外の書類を手で一時保持する必要がないので、両手を自由に使用することが出来るので、迅速且つ正確な作業が可能である。【選択図】図１
0003176932.tif 000002
【実用新案登録請求の範囲】
【請求項１】
ファイルした書類を保護する為の紙或いはビニール製の台紙（以後、台紙と云う）、書類を綴じる為のビニール製チューブ（以後、チューブと云う）、そのビニール製チューブを台紙に固定し且つ台紙を補強する為の粘着テープ（以後テープと云う）、ビニール製チューブの先端に嵌めこむプラスチック製の挿入棒（以後、挿入棒と云う）、及び書類を綴じる為のビニール製チューブを固定する為にプラスチック製の抑え板（以後、抑え板と云う）の両側に溝を施し、その溝に沿ってスライドして抑え板を固定するプラスチック製ボタン（以後、ボタンと云う）で構成された書類を綴る為の書類ファイル用品。
【考案の詳細な説明】
【技術分野】
【０００１】  本考案は、ファイル済みの書類の中から特定の書類を取り出したり、新たな書類をファイルに加える操作が簡単且つ迅速に行われる様にした書類ファイル用品である。
【背景技術】
【０００２】  従来の書類ファイルでは、綴られている書類の中から特定の書類を取り出すには、取り出す書類がファイルしてある位置より上部の書類を一時保持し、目的の書類を取り出した後、一時保持した書類を元の場所に戻す作業をしなければならない。特に、取り出す書類が複数で、それらの書類がファイル内の異なった位置にある時には、ファイルされている書類の順番を狂わすこと無く取出す作業は複雑であり、且つ時間を要する作業である。
【考案の開示】
【考案が解決しようとする課題】
【０００３】  特定の書類をファイルから取り出す為に一時保持した書類は、ファイル用の穴がずれたり、書類の束がほぐれ、ばらばらになり、元の位置に戻すのに時間を要した。  更に、取り出した特定の書類を一時保持した書類の中にファイルする様な場合、一時保持した書類を一旦ファイルしてあった元の位置に戻した後、その中の所定の位置に特定の書類を挿入した後、再び全書類をファイルしなければならなかった。  また、一度ファイルされた書類をファイル内で移動するには、上述の様な作業を繰り返さなければならなかった。  本考案に係る書類ファイル用品は、ファイル内の如何なる位置に綴ってある書類も、他の位置に簡単、且つ短時間に移動することを可能にしようとしたものである。
【課題を解決するための手段】
【０００４】  特定の書類をファイルから取り出し、元の位置に戻したり、他の位置に移動するのに複雑な作業が必要であった。これらの不便を解決する為に、ファイル内の特定の書類を取り出したり移動させたりする間、他の書類はチューブか、或いは挿入棒で保持された状態で、それらの書類は一枚一枚解れて、ばらばらになる事はない。
【考案の効果】
【０００５】本考案は、台紙、チューブ、チューブを台紙に固定するテープ、チューブの両端に差し込み綴られた書類がチューブから抜け出さない様に保持する挿入棒、及び書類を綴ったチューブを固定する為の抑え板で構成されている。  此の抑え板の両側に施された溝に沿ってスライドするボタンで、抑え板の穴を通したチューブを折り曲げ、ボタンを移動させることにより、チューブを抑え板に固定する。  一旦ファイルされた書類は、上述のチューブか、挿入棒の何れかに常に保持される様になっているので、本考案の書類ファイル用品は、ファイル済みの如何なる場所の書類でも最少の工程で迅速、且つ書類に与える損傷を極力少なくして、簡単に取り出したり、移動する事が可能である。
【考案を実施するための最良の形態】
【０００６】  先ず、台紙を拡げテープに開けてある２つの穴にチューブの両端を入れる、チューブをテープで台紙に張り付ける、抑え板をチューブに通し、挿入棒をチューブ両端に押し込むことにより、綴った書類がチューブから抜け出すのを防止し、チューブを抑え板の穴の位置で折り曲げ、ボタンを抑え板の両側に施された溝に沿ってスライドして、チューブを固定する。
【実施例】
【０００７】  以下、添付図面に従い一実施例を説明する。１はファイルされた書類を保護する為の厚手の紙或いはプラスチック製等の台紙、２はチューブを台紙に張付け且つ台紙を補強する為の粘着テープ、３は書類を綴る為のビニール製のチューブ、４はチューブを固定する為のプラスチック製の板で、その両側に溝が施されており、その溝に沿ってスライドするボタンを有する抑え板、５はファイルされた書類がチューブから脱落するのを防止する挿入棒、以上の５点の部分品で構成されている。  ファイル済みの書類を取出すには、先ず、抑え板のボタンを移動させ、チューブから挿入棒を抜いた後、抑え板をチューブから抜き取る。穴を開けた新しい書類をチューブで綴り、抑え板の両穴にそれぞれチューブを通し、チューブの両端に挿入棒を差し込んで、新しい書類のファイルは完了する。【０００８】  実施例その二は、ファイル済みの書類の中から目的の特定書類を探し、抑え板のボタンを移動させ、特定書類より上方にファイルしてある書類を抑え板と共に、挿入棒側に移動した後、チューブから挿入棒を抜き取り、特定書類をチューブから取出す。  抜出し作業後、挿入棒をチューブに挿し込み、挿入棒側に一時保持してあった書類を元の位置に戻し、チューブを抑え板のボタンで固定して、特定書類の抜取は完了。  その間、特定書類以外のファイル済みの書類は、常に挿入棒、或いはチューブのどちらかにに保持されており、それらの書類は一枚一枚解れて、ばらばらになる事はない。
【図面の簡単な説明】
【０００９】
【図１】本考案の書類ファイル用品の実施例を示す平面図である。
【図２】本考案の書類ファイル用品の実施例を示す底面図である。
【図３】本書類ファイル用品の台紙の平面図である。
【図４】書類を綴るチューブを台紙に固定する粘着テープの平面図である。
【図５】書類を綴るチューブの平面図である。
【図６】書類を綴るチューブの側面図である。
【図７】書類を綴るチューブの底面図である。
【図８】書類を固定する抑え板の平面図である。
【図９】書類を固定する抑え板の側面図である。
【図１０】書類を固定する抑え板の底面図である。
【図１１】チューブの両端に挿し込む挿入棒の平面図である。
【図１２】挿入棒の側面図である。
【図１３】挿入棒の底面図である。
【図１４】台紙以外の主要部品平面図である。
【図１５】台紙以外の主要部品左側面図である。
【図１６】台紙以外の主要部品水平側面図である。
【符号の説明】
【００１０】１  台紙
２  書類を綴る為のチューブを台紙に張り付ける粘着テープで、台紙にファイルされる書    類側の粘着テープの中央部には、上下対象の位置に１個ずつの穴が開けてある。
３  書類を綴るチューブ
４  両脇に溝が施されている抑え板
５  チューブを固定する為に、抑え板の両脇に施された溝をスライドするボタン
６  ファイルされた書類がチューブから抜け出さないようにする挿入棒
（１）  テープ▲２▼の穴にチューブ▲３▼の両端を通す。
（２）  チューブの両端を抑え板▲４▼の穴に通す。
（３）  チューブの両端に挿入棒▲６▼を差し込む。
（４）  チューブをボタン▲５▼で抑え板に固定する。
【図１】
0003176932.tif 000003
【図２】
0003176932.tif 000004
【図３】
0003176932.tif 000005
【図４】
0003176932.tif 000006
【図５】
0003176932.tif 000007
【図６】
0003176932.tif 000008
【図７】
0003176932.tif 000009
【図８】
0003176932.tif 000010
【図９】
0003176932.tif 000011
【図１０】
0003176932.tif 000012
【図１１】
0003176932.tif 000013
【図１２】
0003176932.tif 000014
【図１３】
0003176932.tif 000015
【図１４】
0003176932.tif 000016
【図１５】
0003176932.tif 000017
【図１６】
0003176932.tif 000018